(57)【特許請求の範囲】
【請求項１】
直列に接続され電力発生源からの電力をそれぞれ蓄電可能である複数の蓄電装置と、
前記直列に接続された前記複数の蓄電装置から第１機器に電力を供給可能である第１供給系と、
前記複数の蓄電装置の一部から前記第１機器より低負荷である第２機器に電力を供給可能である第２供給系と、
前記複数の蓄電装置のうち、前記第２供給系によって前記第２機器に電力を供給する前記蓄電装置とは異なるものから前記第１機器より低負荷である第３機器に電力を供給可能である第３供給系とを備え、
前記第２供給系は、前記第２機器として、前記第１供給系、前記第２供給系及び前記第３供給系が搭載される車両の走行に与える影響が相対的に高い電気機器に電力を供給する一方、
前記第３供給系は、前記第３機器として、前記車両の走行に与える影響が相対的に低い電気機器に電力を供給し、
前記第２供給系と前記第３供給系とは、互いに別系統を構成することを特徴とする、
電源分配システム。
【請求項２】
前記車両の走行に与える影響が相対的に高い電気機器は、前記車両のエンジンの電子制御燃料噴射装置を構成する電気機器、前記車両のヘッドランプを構成する電気機器、及び、前記車両のワイパーモータを構成する電気機器であり、
前記車両の走行に与える影響が相対的に低い電気機器は、オーディオ機器を構成する電気機器、ルームランプを構成する電気機器、及び、空調機用モータを構成する電気機器である、
請求項１に記載の電源分配システム。
【請求項３】
前記第２供給系によって前記第２機器に電力を供給する前記蓄電装置は、複数あり、
さらに、前記第２供給系によって前記第２機器に電力を供給する前記蓄電装置の一部から前記第２機器より低負荷である第４機器に電力を供給可能である第４供給系を備える、
請求項１又は請求項２に記載の電源分配システム。
【請求項４】
前記第２供給系によって前記第２機器に電力を供給する前記蓄電装置のうち、前記第４供給系によって前記第４機器に電力を供給する前記蓄電装置とは異なるものから前記第２機器より低負荷である第５機器に電力を供給可能である第５供給系を備える、
請求項３に記載の電源分配システム。
【発明の詳細な説明】
【技術分野】
【０００１】
本発明は、電源分配システムに関する。
【背景技術】
【０００２】
従来の電源分配システムとして、例えば、特許文献１には、蓄電モジュールを構成する複数個の蓄電素子の接続点を介して複数の電圧を出力し、動作電圧がそれぞれ異なる機器に電力を供給する電源システムが開示されている。
【先行技術文献】
【特許文献】
【０００３】
【特許文献１】特開２００９−２４７１４５号公報
【発明の概要】
【発明が解決しようとする課題】
【０００４】
ところで、上述の特許文献１に記載の電源システムは、例えば、機器に電力を供給する供給系を構成する電線等の導電体の小断面化の点で改善の余地がある。
【０００５】
本発明は、上記の事情に鑑みてなされたものであって、電力を供給する供給系の導電体を小断面化することができる電源分配システムを提供することを目的とする。
【課題を解決するための手段】
【０００６】
上記目的を達成するために、本発明に係る電源分配システムは、直列に接続され電力発生源からの電力をそれぞれ蓄電可能である複数の蓄電装置と、前記直列に接続された前記複数の蓄電装置から第１機器に電力を供給可能である第１供給系と、前記複数の蓄電装置の一部から前記第１機器より低負荷である第２機器に電力を供給可能である第２供給系と、前記複数の蓄電装置のうち、前記第２供給系によって前記第２機器に電力を供給する前記蓄電装置とは異なるものから前記第１機器より低負荷である第３機器に電力を供給可能である第３供給系とを備え、前記第２供給系は、前記第２機器として、前記第１供給系、前記第２供給系及び前記第３供給系が搭載される車両の走行に与える影響が相対的に高い電気機器に電力を供給する一方、前記第３供給系は、前記第３機器として、前記車両の走行に与える影響が相対的に低い電気機器に電力を供給し、前記第２供給系と前記第３供給系とは、互いに別系統を構成することを特徴とする。
【０００７】
また、上記電源分配システムでは、前記車両の走行に与える影響が相対的に高い電気機器は、前記車両のエンジンの電子制御燃料噴射装置を構成する電気機器、前記車両のヘッドランプを構成する電気機器、及び、前記車両のワイパーモータを構成する電気機器であり、前記車両の走行に与える影響が相対的に低い電気機器は、オーディオ機器を構成する電気機器、ルームランプを構成する電気機器、及び、空調機用モータを構成する電気機器であるものとすることができる。
【０００８】
また、上記電源分配システムでは、前記第２供給系によって前記第２機器に電力を供給する前記蓄電装置は、複数あり、さらに、前記第２供給系によって前記第２機器に電力を供給する前記蓄電装置の一部から前記第２機器より低負荷である第４機器に電力を供給可能である第４供給系を備えるものとすることができる。
【０００９】
また、上記電源分配システムでは、前記第２供給系によって前記第２機器に電力を供給する前記蓄電装置のうち、前記第４供給系によって前記第４機器に電力を供給する前記蓄電装置とは異なるものから前記第２機器より低負荷である第５機器に電力を供給可能である第５供給系を備えるものとすることができる。
【発明の効果】
【００１０】
本発明に係る電源分配システムは、複数の蓄電装置の一部から第２供給系を介して第２機器に電力を供給することができる一方、第２機器より高負荷である第１機器に対しては、直列に接続された複数の蓄電装置から第１供給系を介して相対的に高電圧の電力を供給することができる。この結果、電源分配システムは、相対的に高負荷である第１機器を相対的に高電圧で駆動することができるので、当該第１供給系を構成する導電体を小断面化することができる。したがって、電源分配システムは、電力を供給する供給系の導電体を小断面化することができる、という効果を奏する。
【図面の簡単な説明】
【００１１】
【図１】図１は、実施形態１に係る電源分配システムの概略構成を表す構成図である。
【図２】図２は、実施形態２に係る電源分配システムの概略構成を表す構成図である。
【発明を実施するための形態】
【００１２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１３】
［実施形態１］
図１は、実施形態１に係る電源分配システムの概略構成を表す構成図である。
【００１４】
図１に示す本実施形態の電源分配システム１は、複数の蓄電装置２と、複数の電力供給系３とを備え、多層化された複数の電力供給系３によって、複数の蓄電装置２を異なる電圧を出力する多層電源として機能させることで、種々の電気機器４に異なる電圧を供給することができる多層電源分配システムである。本実施形態の電源分配システム１は、一例として車両に搭載されるものとして説明する。以下、図１を参照して各構成について具体的に説明する。
【００１５】
なお、本実施形態の種々の電気機器４は、電気機器４１、４２、４３、４４、４５、４６、４７を含んで構成されるが、以下の説明では、これらを特に区別して説明する必要がない場合には、単に電気機器４という。
【００１６】
複数の蓄電装置２は、直列に接続され電力発生源５からの電力をそれぞれ蓄電可能なものである。本実施形態の蓄電装置２は、バッテリ（ＢＡＴＴ）等の二次電池であるが、これに限らず、コンデンサ、キャパシタ、セル等の蓄電素子であってもよい。本実施形態の複数の蓄電装置２は、第１の蓄電装置２１と、第２の蓄電装置２２とを含んで構成され、蓄電装置２１と蓄電装置２２とが電源ユニット６を構成する。蓄電装置２１と蓄電装置２２とは、種々の電気機器４の動作電圧に応じて適宜所定のバッテリ電圧のものが組み合わせられればよい。ここでは一例として、蓄電装置２１は、車両用の電源として一般的に用いられるバッテリ電圧が１２Ｖのバッテリである。蓄電装置２２は、蓄電装置２１と同様にバッテリ電圧が１２Ｖのバッテリであってもよいし、バッテリ電圧がより高いバッテリであってもよく、上記のとおり種々の電気機器４の動作電圧に応じて設定されればよい。電源ユニット６は、蓄電装置２１の陽極と蓄電装置２２の陰極とが電線１０１を介して接続され、これにより蓄電装置２１と蓄電装置２２とが直列接続される。また、電源ユニット６は、蓄電装置２１の陰極が電線１０２を介してオルタネータ（ＡＬＴ）等の電力発生源５に接続され、蓄電装置２２の陽極が電線１０３を介して当該電力発生源５に接続される。電線１０２は、ノードＮ１を介して接地される。電源ユニット６を構成する蓄電装置２１と蓄電装置２２とは、電力発生源５が発生させ、直流に変換された電力が蓄電される。なお、以下の説明では、蓄電装置２１、蓄電装置２２を特に区別して説明する必要がない場合には、単に蓄電装置２という。
【００１７】
複数の電力供給系３は、蓄電装置２から電気機器４に電力を供給可能なものであり、複数の電線１０４、１０５、１０６、１０７、１０８、１０９、１１０、１１１、１１２、１１３、１１４、１１５、１１６、１１７、１１８等の導電体を含んで構成される。本実施形態の複数の電力供給系３は、第１の電力供給系３１と、第２の電力供給系３２と、第３の電力供給系３３とを含んで構成される。なお、以下の説明では、電力供給系３１、電力供給系３２、電力供給系３３を特に区別して説明する必要がない場合には、単に電力供給系３という。
【００１８】
電力供給系３１は、種々の電気機器４のうち電気機器４１に電力を供給するものである。電力供給系３１は、電線１０４と、電線１０５とを含んで構成される。電力供給系３１は、電線１０４の一端が電気機器４１に接続され、電線１０４の他端が電線１０３のノードＮ２に接続され、当該ノードＮ２、電線１０３を介して蓄電装置２２の陽極に接続される。また、電力供給系３１は、電線１０５の一端が電気機器４１に接続され、電線１０５の他端が電線１０２のノードＮ１に接続され、当該ノードＮ１、電線１０２を介して蓄電装置２１の陰極に接続される。
【００１９】
電力供給系３２は、種々の電気機器４のうち電気機器４２、４３、４４に電力を供給するものである。電力供給系３２は、電線１０６、１０７、１０８、１０９、１１０、１１１、１１２を含んで構成されると共に上述の電線１０５が兼用される。電力供給系３２は、電線１０６の一端が電線１０１のノードＮ３に接続され、当該ノードＮ３、電線１０１を介して蓄電装置２１の陽極、及び、蓄電装置２２の陰極に接続される。そして、電力供給系３２は、電線１０５と電線１０６とに電気機器４２、４３、４４が接続される。すなわち、電気機器４２は、電線１０７を介して電線１０５のノードＮ４に接続され、電線１０８を介して電線１０６のノードＮ５に接続される。電気機器４３は、電線１０９を介して電線１０５のノードＮ６に接続され、電線１１０を介して電線１０６のノードＮ７に接続される。電気機器４４は、電線１１１を介して電線１０５のノードＮ８に接続され、電線１１２を介して電線１０６のノードＮ９に接続される。これにより、電気機器４２、４３、４４は、電力供給系３２を介して蓄電装置２１に対して並列接続される。
【００２０】
電力供給系３３は、種々の電気機器４のうち電気機器４５、４６、４７に電力を供給するものである。電力供給系３３は、電線１１３、１１４、１１５、１１６、１１７、１１８を含んで構成されると共に上述の電線１０４、１０６が兼用される。電力供給系３３は、電線１０４と電線１０６とに電気機器４５、４６、４７が接続される。すなわち、電気機器４５は、電線１１３を介して電線１０４のノードＮ１０に接続され、電線１１４を介して電線１０６のノードＮ５に接続される。電気機器４６は、電線１１５を介して電線１０４のノードＮ１１に接続され、電線１１６を介して電線１０６のノードＮ１２に接続される。電気機器４７は、電線１１７を介して電線１０４のノードＮ１３に接続され、電線１１８を介して電線１０６のノードＮ１４に接続される。これにより、電気機器４５、４６、４７は、電力供給系３３を介して蓄電装置２２に対して並列接続される。
【００２１】
ここで、上記の種々の電気機器４は、動作電圧が相互に異なるものを含んでいる。種々の電気機器４のうち、本実施形態の電気機器４１は、動作電圧が相対的に高圧で相対的に高負荷で動作するものであり、ここでは、一例として当該電源分配システム１が搭載される車両のエンジンを始動するためのスタータ（ＳＴ）等である。一方、種々の電気機器４のうち、本実施形態の電気機器４２、４３、４４、４５、４６、４７は、動作電圧が相対的に低圧（例えば１２Ｖ）で相対的に低負荷で動作するものであり、ここでは、一例として当該電源分配システム１が搭載される車両のエンジンの電子制御燃料噴射装置（ＥＦＩ）、オーディオ機器（ＡＵＤＩＯ）、ルームランプ、ヘッドランプ、空調機用モータ、ワイパーモータ等である。
【００２２】
そして、複数系統の電力供給系３のうち電力供給系３１は、直列に接続された複数の蓄電装置２から第１機器としての電気機器４１、ここでは、スタータ（ＳＴ）に電力を供給可能である第１供給系を構成する。また、複数系統の電力供給系３のうち電力供給系３２又は電力供給系３３の一方は、第２供給系を構成し、他方は、第３供給系を構成する。本実施形態の電力供給系３２は、複数の蓄電装置２の一部から第１機器としての電気機器４１より低負荷である第２機器としての電気機器４２、４３、４４に電力を供給可能である第２供給系を構成する。ここでは、電力供給系３２は、複数の蓄電装置２の一部として蓄電装置２１から、種々の電気機器４のうち当該電源分配システム１が搭載される車両の走行に与える影響が相対的に高い電気機器４、ここでは、電子制御燃料噴射装置（ＥＦＩ）を構成する電気機器４２、ヘッドランプを構成する電気機器４３、ワイパーモータを構成する電気機器４４に電力を供給する。一方、本実施形態の電力供給系３３は、複数の蓄電装置２のうち、第２供給系である電力供給系３２によって電気機器４２、４３、４４に電力を供給する蓄電装置２とは異なるものから第１機器としての電気機器４１より低負荷である第３機器としての電気機器４５、４６、４７に電力を供給可能である第３供給系を構成する。ここでは、電力供給系３３は、複数の蓄電装置２の一部として蓄電装置２１とは異なる蓄電装置２２から、種々の電気機器４のうち当該電源分配システム１が搭載される車両の走行に与える影響が相対的に低い電気機器４、ここでは、オーディオ機器（ＡＵＤＩＯ）を構成する電気機器４５、ルームランプを構成する電気機器４６、空調機用モータを構成する電気機器４７に電力を供給する。第２供給系である電力供給系３２と第３供給系である電力供給系３３とは、互いに別系統を構成する。
【００２３】
以上で説明した電源分配システム１によれば、直列に接続され電力発生源５からの電力をそれぞれ蓄電可能である複数の蓄電装置２と、直列に接続された複数の蓄電装置２から電気機器４１に電力を供給可能である電力供給系３１と、複数の蓄電装置２の一部（ここでは蓄電装置２１）から電気機器４１より低負荷である電気機器４２、４３、４４に電力を供給可能である電力供給系３２とを備える。
【００２４】
したがって、電源分配システム１は、複数の蓄電装置２の一部から電力供給系３２を介して電気機器４２、４３、４４に電力を供給することができる一方、電気機器４２、４３、４４より高負荷である電気機器４１に対しては、直列に接続された複数の蓄電装置２から電力供給系３１を介して相対的に高電圧の電力を供給することができる。この結果、電源分配システム１は、相対的に高負荷である電気機器４１を相対的に高電圧で駆動することができるので、当該電力供給系３１を構成する導電体を小断面化することができ、すなわち、ここでは、電線１０２、１０３、１０４、１０５等を小径化することができる。したがって、電源分配システム１は、電力を供給する供給系、ここでは、電力供給系３１の導電体を小断面化することができる。また、電源分配システム１は、電力発生源５が直列に接続された複数の蓄電装置２に蓄電することから、当該電力発生源５を高電圧で充電効率を向上することができ、この点でも、電線１０２、１０３等を小径化することができる。
【００２５】
また、電源分配システム１は、例えば、ＤＣ−ＤＣコンバータ等を用いて電圧変換を行わなくても各電気機器４が必要とする多種類の電圧を生成することができるので、当該ＤＣ−ＤＣコンバータ等における電力損失等が発生せず、システム全体としての効率の低下を抑制することができる。
【００２６】
さらに、以上で説明した電源分配システム１によれば、複数の蓄電装置２のうち、電力供給系３２によって電気機器４２、４３、４４に電力を供給する蓄電装置２とは異なるもの（ここでは蓄電装置２２）から電気機器４１より低負荷である電気機器４５、４６、４７に電力を供給可能である電力供給系３３を備える。したがって、電源分配システム１は、電力供給系３３によって、複数の蓄電装置２のうち、電力供給系３２の蓄電装置２１とは異なる蓄電装置２２から電力供給系３３を介して電気機器４５、４６、４７に電力を供給することができる。これにより、電源分配システム１は、電気機器４１より低負荷の電気機器４２、４３、４４、４５、４６、４７に対して電力供給系３２と電力供給系３３とで別系統で電力を供給することができるので、電力供給系３２、３３を構成する導電体を小断面化することができ、すなわち、ここでは、電線１０４、１０５、１０６、１０７、１０８、１０９、１１０、１１１、１１２、１１３、１１４、１１５、１１６、１１７、１１８等を小径化することができる。またここでは、電源分配システム１は、蓄電装置２１と蓄電装置２２とのうち少なくとも一方、ここでは、蓄電装置２１を車両用の電源として一般的に用いられるバッテリ電圧が１２Ｖのバッテリを用いることができるので、例えば、動作電圧が１２Ｖの既存の補機等をそのまま使用することができ、重要負荷に安定して電力を供給することができる。
【００２７】
［実施形態２］
図２は、実施形態２に係る電源分配システムの概略構成を表す構成図である。実施形態２に係る電源分配システムは、更なる多層化が図られている点で実施形態１とは異なる。その他、上述した実施形態と共通する構成、作用、効果については、重複した説明はできるだけ省略する。
【００２８】
図２に示す本実施形態の電源分配システム２０１は、複数の蓄電装置２０２と、複数の電力供給系２０３とを備える。
【００２９】
なお、本実施形態の種々の電気機器２０４は、電気機器２４１、２４２、２４３、２４４、２４５を含んで構成されるが、以下の説明では、これらを特に区別して説明する必要がない場合には、単に電気機器２０４という。
【００３０】
複数の蓄電装置２０２は、直列に接続され電力発生源２０５からの電力をそれぞれ蓄電可能ものである。本実施形態の複数の蓄電装置２０２は、第１の蓄電装置２２１と、第２の蓄電装置２２２と、第３の蓄電装置２２３と、第４の蓄電装置２２４と、第５の蓄電装置２２５とを含んで構成され、蓄電装置２２１と蓄電装置２２２と蓄電装置２２３と蓄電装置２２４と蓄電装置２２５とが電源ユニット２０６を構成する。蓄電装置２２１と蓄電装置２２２と蓄電装置２２３と蓄電装置２２４と蓄電装置２２５とは、種々の電気機器２０４の動作電圧に応じて適宜所定のバッテリ電圧のものが組み合わせられればよい。電源ユニット２０６は、蓄電装置２２１の陰極と蓄電装置２２２の陽極とが電線３０１を介して接続され、蓄電装置２２２の陰極と蓄電装置２２３の陽極とが電線３０２を介して接続され、蓄電装置２２３の陰極と蓄電装置２２４の陽極とが電線３０３を介して接続され、蓄電装置２２４の陰極と蓄電装置２２５の陽極とが電線３０４を介して接続され、これにより蓄電装置２２１と蓄電装置２２２と蓄電装置２２３と蓄電装置２２４と蓄電装置２２５とが直列接続される。また、電源ユニット２０６は、蓄電装置２２１の陽極が電線３０５を介してオルタネータ（ＡＬＴ）等の電力発生源２０５に接続され、蓄電装置２２５の陰極が電線３０６を介して当該電力発生源２０５に接続される。電線３０６は、ノードＮ２０１を介して接地される。電源ユニット２０６を構成する蓄電装置２２１と蓄電装置２２２と蓄電装置２２３と蓄電装置２２４と蓄電装置２２５とは、電力発生源２０５が発生させ、直流に変換された電力が蓄電される。なお、以下の説明では、蓄電装置２２１、蓄電装置２２２、蓄電装置２２３、蓄電装置２２４、蓄電装置２２５を特に区別して説明する必要がない場合には、単に蓄電装置２０２という。
【００３１】
複数の電力供給系２０３は、蓄電装置２０２から電気機器２０４に電力を供給可能なものであり、複数の電線３０７、３０８、３０９、３１０、３１１、３１２、３１３、３１４、３１５、３１６、３１７、３１８等の導電体を含んで構成される。本実施形態の複数の電力供給系２０３は、第１の電力供給系２３１と、第２の電力供給系２３２と、第３の電力供給系２３３と、第４の電力供給系２３４と、第５の電力供給系２３５とを含んで構成される。なお、以下の説明では、電力供給系２３１、電力供給系２３２、電力供給系２３３、電力供給系２３４、電力供給系２３５を特に区別して説明する必要がない場合には、単に電力供給系２０３という。
【００３２】
電力供給系２３１は、種々の電気機器２０４のうち電気機器２４１に電力を供給するものである。電力供給系２３１は、電線３０７と、電線３０８とを含んで構成される。電力供給系２３１は、電線３０７の一端が電気機器２４１に接続され、電線３０７の他端が電線３０５のノードＮ２０２に接続され、当該ノードＮ２０２、電線３０５を介して蓄電装置２２１の陽極に接続される。また、電力供給系２３１は、電線３０８の一端が電気機器２４１に接続され、電線３０８の他端が電線３０６のノードＮ２０３に接続され、当該ノードＮ２０３、電線３０６を介して蓄電装置２２５の陰極に接続される。
【００３３】
電力供給系２３２は、種々の電気機器２０４のうち電気機器２４２に電力を供給するものである。電力供給系２３２は、電線３０９、３１０、３１１を含んで構成されると共に上述の電線３０７が兼用される。電力供給系２３２は、電線３０９の一端が電線３０３のノードＮ２０４に接続され、当該ノードＮ２０４、電線３０３を介して蓄電装置２２３の陰極、及び、蓄電装置２２４の陽極に接続される。そして、電力供給系２３２は、電線３０７と電線３０９とに電気機器２４２が接続される。すなわち、電気機器２４２は、電線３１０を介して電線３０７のノードＮ２０５に接続され、電線３１１を介して電線３０９のノードＮ２０６に接続される。これにより、電気機器２４２は、電力供給系２３２を介して複数の蓄電装置２０２のうち直列に接続された蓄電装置２２１、蓄電装置２２２、蓄電装置２２３に対して接続される。
【００３４】
電力供給系２３３は、種々の電気機器２０４のうち電気機器２４３に電力を供給するものである。電力供給系２３３は、電線３１２、３１３を含んで構成されると共に上述の電線３０８、３０９が兼用される。電力供給系２３３は、電線３０８と電線３０９とに電気機器２４３が接続される。すなわち、電気機器２４３は、電線３１２を介して電線３０８のノードＮ２０７に接続され、電線３１３を介して電線３０９のノードＮ２０６に接続される。これにより、電気機器２４３は、電力供給系２３３を介して複数の蓄電装置２０２のうち直列に接続された蓄電装置２２４、蓄電装置２２５に対して接続される。
【００３５】
電力供給系２３４は、種々の電気機器２０４のうち電気機器２４４に電力を供給するものである。電力供給系２３４は、電線３１４、３１５、３１６を含んで構成されると共に上述の電線３０７が兼用される。電力供給系２３４は、電線３１４の一端が電線３０１のノードＮ２０８に接続され、当該ノードＮ２０８、電線３０１を介して蓄電装置２２１の陰極、及び、蓄電装置２２２の陽極に接続される。そして、電力供給系２３４は、電線３０７と電線３１４とに電気機器２４４が接続される。すなわち、電気機器２４４は、電線３１５を介して電線３０７のノードＮ２０９に接続され、電線３１６を介して電線３１４のノードＮ２１０に接続される。ここで、ノードＮ２０９は、ノードＮ２０２とノードＮ２０５との間に位置する。これにより、電気機器２４４は、電力供給系２３４を介して複数の蓄電装置２０２のうち蓄電装置２２１に対して接続される。
【００３６】
電力供給系２３５は、種々の電気機器２０４のうち電気機器２４５に電力を供給するものである。電力供給系２３５は、電線３１７、３１８を含んで構成されると共に上述の電線３０９、３１４が兼用される。電力供給系２３５は、電線３０９と電線３１４とに電気機器２４５が接続される。すなわち、電気機器２４５は、電線３１７を介して電線３１４のノードＮ２１０に接続され、電線３１８を介して電線３０９のノードＮ２１１に接続される。ここで、ノードＮ２１１は、ノードＮ２０４とノードＮ２０６との間に位置する。これにより、電気機器２４５は、電力供給系２３５を介して複数の蓄電装置２０２のうち直列に接続された蓄電装置２２２、蓄電装置２２３に対して接続される。
【００３７】
ここで、上記の種々の電気機器２０４は、動作電圧が相互に異なるものを含んでいる。種々の電気機器２０４のうち、本実施形態の電気機器２４１は、動作電圧が相対的に高圧で相対的に高負荷で動作するものである。種々の電気機器２０４のうち、本実施形態の電気機器２４２は、動作電圧が電気機器２４１より低圧で電気機器２４１より低負荷で動作するものである。種々の電気機器２０４のうち、本実施形態の電気機器２４３は、動作電圧が電気機器２４１より低圧、ここでは、電気機器２４２より低圧で電気機器２４２より低負荷で動作するものである。種々の電気機器２０４のうち、本実施形態の電気機器２４４は、動作電圧が電気機器２４２より低圧で電気機器２４２より低負荷で動作するものである。種々の電気機器２０４のうち、本実施形態の電気機器２４５は、動作電圧が電気機器２４２より低圧、ここでは、電気機器２４４より高圧で電気機器２４２より低負荷で動作するものである。
【００３８】
そして、複数系統の電力供給系２０３のうち電力供給系２３１は、直列に接続された複数の蓄電装置２０２から第１機器としての電気機器２４１に電力を供給可能である第１供給系を構成する。また、複数系統の電力供給系２０３のうち電力供給系２３２は、複数の蓄電装置２０２の一部から第１機器としての電気機器２４１より低負荷である第２機器としての電気機器２４２に電力を供給可能である第２供給系を構成する。ここでは、電力供給系２３２は、複数の蓄電装置２０２の一部として直列に接続された蓄電装置２２１、２２２、２２３から電気機器２４２に電力を供給する。また、複数系統の電力供給系２０３のうち電力供給系２３３は、複数の蓄電装置２０２のうち、第２供給系である電力供給系２３２によって電気機器２４２に電力を供給する蓄電装置２０２とは異なるものから第１機器としての電気機器２４１より低負荷である第３機器としての電気機器２４３に電力を供給可能である第３供給系を構成する。ここでは、電力供給系２３３は、複数の蓄電装置２０２の一部として蓄電装置２２１、２２２、２２３とは異なるもの、すなわち、直列に接続された蓄電装置２２４、２２５から電気機器２４３に電力を供給する。第２供給系である電力供給系２３２と第３供給系である電力供給系２３３とは、互いに別系統を構成する。
【００３９】
そしてさらに、複数系統の電力供給系２０３のうち電力供給系２３４は、第２供給系である電力供給系２３２によって電気機器２４２に電力を供給する蓄電装置２２１、２２２、２２３の一部から電気機器２４２より低負荷である第４機器としての電気機器２４４に電力を供給可能である第４供給系を構成する。ここでは、電力供給系２３４は、電力供給系２３２によって電気機器２４２に電力を供給する蓄電装置２２１、２２２、２２３の一部として蓄電装置２２１から電気機器２４４に電力を供給する。また、複数系統の電力供給系２０３のうち電力供給系２３５は、第２供給系である電力供給系２３２によって電気機器２４２に電力を供給する蓄電装置２２１、２２２、２２３のうち、第４供給系である電力供給系２３４によって電気機器２４４に電力を供給する蓄電装置２２１とは異なるものから電気機器２４２より低負荷である第５機器としての電気機器２４５に電力を供給可能である。ここでは、電力供給系２３５は、電力供給系２３２によって電気機器２４２に電力を供給する蓄電装置２２１、２２２、２２３のうち蓄電装置２２１とは異なるもの、すなわち、直列に接続された蓄電装置２２２、２２３から電気機器２４５に電力を供給する。第４供給系である電力供給系２３４と第５供給系である電力供給系２３５とは、互いに別系統を構成する。
【００４０】
以上で説明した電源分配システム２０１は、複数の蓄電装置２０２の一部から電力供給系２３２を介して電気機器２４２に電力を供給することができる一方、電気機器２４２より高負荷である電気機器２４１に対しては、直列に接続された複数の蓄電装置２０２から電力供給系２３１を介して相対的に高電圧の電力を供給することができる。この結果、電源分配システム２０１は、電力を供給する供給系、ここでは、電力供給系２３１の導電体を小断面化することができる。
【００４１】
さらに、以上で説明した電源分配システム２０１は、電力供給系２３３によって、複数の蓄電装置２０２のうち、電力供給系２３２の蓄電装置２２１、２２２、２２３とは異なる蓄電装置２２４、２２５から電力供給系２３３を介して電気機器２４３に電力を供給することができる。これにより、電源分配システム２０１は、電気機器２４１より低負荷の電気機器２４２、２４３に対して電力供給系２３２と電力供給系２３３とで別系統で電力を供給することができるので、電力供給系２３２、２３３を構成する導電体を小断面化することができる。
【００４２】
さらに、以上で説明した電源分配システム２０１によれば、電力供給系２３２によって電気機器２４２に電力を供給する蓄電装置２０２は、複数あり（ここでは蓄電装置２２１、２２２、２２３）、さらに、電力供給系２３２によって電気機器２４２に電力を供給する蓄電装置２０２の一部、ここでは、蓄電装置２２１から電気機器２４２より低負荷である電気機器２４４に電力を供給可能である電力供給系２３４を備える。したがって、電源分配システム２０１は、電力供給系２３４によって更なる多層化を実現することができる。すなわち、電源分配システム２０１は、複数の蓄電装置２２１、２２２、２２３の一部から電力供給系２３４を介して電気機器２４４に電力を供給することができる一方、電気機器２４４より高負荷である電気機器２４２に対しては、直列に接続された複数の蓄電装置２２１、２２２、２２３から電力供給系２３２を介して相対的に高電圧の電力を供給することができる。
【００４３】
さらに、以上で説明した電源分配システム２０１によれば、電力供給系２３２によって電気機器２４２に電力を供給する蓄電装置２２１、２２２、２２３のうち、電力供給系２３４によって電気機器２４４に電力を供給する蓄電装置２２１とは異なるもの、ここでは、蓄電装置２２２、２２３から電気機器２４２より低負荷である電気機器２４５に電力を供給可能である電力供給系２３５を備える。したがって、電源分配システム２０１は、電力供給系２３５によって、複数の蓄電装置２０２のうち、電力供給系２３４の蓄電装置２２１とは異なる蓄電装置２２２、２２３から電力供給系２３５を介して電気機器２４５に電力を供給することができる。これにより、電源分配システム２０１は、電気機器２４２より低負荷の電気機器２４４、２４５に対して電力供給系２３４と電力供給系２３５とで別系統で電力を供給することができるので、電力供給系２３４、２３５を構成する導電体を小断面化することができる。
【００４４】
なお、上述した本発明の実施形態に係る電源分配システムは、上述した実施形態に限定されず、特許請求の範囲に記載された範囲で種々の変更が可能である。
【００４５】
以上の説明では、本実施形態の電源分配システム１、２０１は、一例として車両に搭載されるものとして説明したがこれに限らない。
【００４６】
以上で説明した電源分配システム１は、電力供給系３２が第２供給系を構成し、電力供給系３３が第３供給系を構成するものとして説明したが逆でもよく、すなわち、電力供給系３２が第３供給系を構成し、電力供給系３３が第２供給系を構成してもよい。この場合、電源分配システム１は、電気機器４２、４３、４４が第３機器を構成し、電気機器４５、４６、４７が第２機器を構成する。
【００４７】
以上の説明では、電源分配システム１は、第３供給系である電力供給系３３を備え、電源分配システム２０１は、第３供給系である電力供給系２３３、第４供給系である電力供給系２３４、第５供給系である電力供給系２３５を備えるものとして説明したがこれに限らない。電源分配システム１、２０１は、少なくとも第１供給系である電力供給系３１、２３１、第２供給系である電力供給系３２、２３２を備えていればよく、第３供給系、第４供給系、第５供給系を備えていなくてもよい。
【符号の説明】
【００４８】
１、２０１    電源分配システム
２、２１、２２、２０２、２２１、２２２、２２３、２２４、２２５    蓄電装置
３、２０３    電力供給系
４、２０４    電気機器
５、２０５    電力発生源
３１、２３１    電力供給系（第１供給系）
３２、２３２    電力供給系（第２供給系）
３３、２３３    電力供給系（第３供給系）
４１、２４１    電気機器（第１機器）
４２、４３、４４、２４２    電気機器（第２機器）
４５、４６、４７、２４３    電気機器（第３機器）
１０１、１０２、１０３、１０４、１０５、１０６、１０７、１０８、１０９、１１０、１１１、１１２、１１３、１１４、１１５、１１６、１１７、１１８、３０１、３０２、３０３、３０４、３０５、３０６、３０７、３０８、３０９、３１０、３１１、３１２、３１３、３１４、３１５、３１６、３１７、３１８    電線
２３４    電力供給系（第４供給系）
２３５    電力供給系（第５供給系）
２４４    電気機器（第４機器）
２４５    電気機器（第５機器）
【図１】
0006599653.tif 000002
【図２】
0006599653.tif 000003